(57)【特許請求の範囲】
【請求項１】
入光面と、反射面と、出光面から成り、上記入光面は線状のランプ源から発射される光を受けるように配置され、上記反射面は、断面Ｖ字型で２つの斜辺を有すると共に上記ランプ源に平行に走向する複数の導光体を設け、上記出光面は、上記反射面に対向して、また、上記入光面に相隣して設置され、さらに、断面Ｖ字型で２つの斜辺を有すると共に上記ランプ源に垂直に走向する複数の導光体を設けて、成る導光板において、
上記出光面の中央領域の導光体は、断面Ｖ字型で正のＶ字型であり、上記出光面の両側領域の導光体は、上記中央領域の導光体から両側に偏移し、長い斜辺と短い斜辺を有し、該短い斜辺は上記中央領域の導光体に面し、該長い斜辺は上記出光面の両側縁方向に面し、これら長い斜辺と短い斜辺はそれぞれ上記出光面に対して挟角θ１およびθ２を有し、該挟角θ１が、該挟角θ２より小さく、しかも、上記中央領域の導光体から離れるにしたがって徐々に小さくなる、
ことを特徴とする導光板の出光光場を導正する構造。
【請求項２】
前記出光面の導光体が相互に平行に形成されることを特徴とする請求項１に記載の導光板の出光光場を導正する構造。
【発明の詳細な説明】
【技術分野】
【０００１】
本発明は導光板の出光光場を導正する構造に関し、詳細には、導光板の光源光場を導正し、出光の均斉度を向上させる構造に関する。
【背景技術】
【０００２】
公知の導光板１は、図１で示されるように、少なくとも、入光面１１、反射面１２、及び、出光面１３、からなる。入光面１１は、ランプ源Aが発射する光源を受け、光源が入光面１１から導光板１に入射した後、導光板１の内部に伝達される。反射面１２に入射する光源は、反射面から出光面１３方向に進み、光源の集光効果を強化するため、導光板１の出光面１３と反射面１２の表面は、それぞれ、多くのV字型導光体１３１、１２１を設置する。出光面１３上のV字型導光体１３１の走向はランプ源Aと垂直で、反射面１２表面のV字型導光体１２１の走向はランプ源Aと平行である。よって、光源がこれらのV字型導光体１３１、１２１の槽壁を経て、導光板１を離れる時、多方向に集光する効果を有する。
【０００３】
公知の導光板１は上述の構造により、導光板１が異なる方向に集光する効果を達成するが、ランプ源Aが発光する時、光源はランプ源Aの二端で発散角を形成し、図２、図３で示されるように、光線が導光板１に進入する時、導光板１二側の光場分布が二側方向に偏移し、この時、V字型導光体１２１は、偏移した光場光源の作用に対し最適な効果が達成されず、出光面１３中のV字型導光体１３１とうまく作用せず、導光板１の出光に影響する。
【発明の開示】
【発明が解決しようとする課題】
【０００４】
本発明の目的は、公知の導光板が、ランプ源が発光する時、光源がランプ源の二端で発散角を形成し、光線が導光板に進入する時、導光板二側の光場分布が二側方向に偏移して、光源作用効果に影響することを改善することにある。
【課題を解決するための手段】
【０００５】
本発明の導光板の出光光場を導正する構造において、導光板は、入光面、反射面、及び、出光面からなる。出光面は多数の導光構造を形成し、導光構造の走向はランプ源と垂直である。導光板二側辺縁領域の導光構造は正Ｖ字型体ではなく、二斜辺が長い斜辺と短い斜辺ので、且つ、長い斜辺は導光板の側辺辺縁方向に近く、長い斜辺と導光板の出光面がなす挟角の角度は、短い斜辺と出光面がなす挟角角度より小さく、且つ、導光板側辺辺縁に近い導光構造中の長い斜辺と出光面がなす挟角角度が小さくなり、長い斜辺の異なる傾斜角を利用して光源が屈折する時、屈折した光線が異なる程度の偏移を生成し、導光板二側辺縁から出光する光源が正向き方向に導正され、導光板の出光の均斉度を向上させる。      
【発明の効果】
【０００６】
本発明により、導光板の出光の均斉度を向上させることができる。
【発明を実施するための最良の形態】
【０００７】
図４、図５で示されるように、本発明の導光板２は、入光面２１、反射面２２、及び、出光面２３からなる。
【０００８】
入光面２１は、線状のランプ源Aが発射する光源を受け、光源が入光面２１から導光板２に入射した後、導光板２の内部に伝達される。
【０００９】
反射面２２は、入光面２１に相隣し、導光板２の一側に位置し、反射面２２の集光効果を増加するため、本発明の実施時、反射面２２上に多くのV字型導光体２２１を設置し、V字型導光体２２１の走向はランプ源Aと平行である。
【００１０】
出光面２３は、入光面２１に相隣し、導光板２の頂部に位置し、出光面２３上に、多くのＶ字型導光体２３１を設置し、Ｖ字型導光体２３１の走向はランプ源Ａと垂直である。導光板２の中央領域の導光体２３１は正のＶ字型体であるが、導光板２の両側領域の導光体２３１は非正Ｖ字型である。２つの斜辺は、長い斜辺２３１aと短い斜辺２３１ｂを有し、長い斜辺２３１ａは導光板の側縁方向に近く、長い斜辺２３１ａと導光板２の出光面２３の挟角θ１の角度は、短い斜辺２３１ｂと出光面２３がなす挟角θ２の角度より小さく、且つ、導光板２の側辺縁に近い導光体２３１中の長い斜辺２３１ａと出光面２３がなす挟角θ１角度は小さくなる。
【００１１】
本発明の実施時、図５で示されるように、ランプ源Ａの光線は、入光面２１から導光板２の内部に進入し、反射面２２に入射する光源は、反射面から出光面２３方向に進み、出光面２３上のＶ字型導光体２３１の走向はランプ源Ａと垂直で、反射面２２中のＶ字型導光体２２１の走向はランプ源Ａと平行で、これにより、光源がこれらのＶ字型導光体２３１、２２１の斜辺を経て、導光板２を離れる時、異なる方向に集光する効果を有する。この他、光線が導光板２に進入する時、導光板２の両側の光場分布が両側に偏移するが、本発明の出光面２３中の導光板２の両側領域の導光構造２３１は、長い斜辺２３１ａと短い斜辺２３１ｂを有し、長い斜辺２３１ａは、導光板２の側縁方向に近く、よって、光源が出光面２３の導光体２３１の長い斜辺２３１ａに入射して屈折する時、屈折した光線が法線Ｌを離れて、光源を正向きに進む。同時に、長い斜辺２３１ａが導光板２の側縁に近い時、出光面２３との挟角θ１角度が徐々に小さくなり、導光体２３１の長い斜辺２３１ａの傾斜角度が伴って変化し、導光板２の両側の導光体２３１は、異なる傾斜角度の長い斜辺２３１ａを利用して、光源が異なる屈折程度の作用を生成し、出光光源が正向きに導向され、図６で示されるように、導光板２の出光光源の均斉度が向上する。
【００１２】
本発明は、導光板２の出光面２３が複数の導光体２３１を設置し、且つ、導光板２の両側領域の導光体２３１は、非正Ｖ字型であり、２つの斜辺が長い斜辺２３１ａと短い斜辺２３１ｂを有し、導光板２の両側縁に近い導光体２３１中の長い斜辺２３１ａと出光面２３の挟角θ１角度は小さくなる。長い斜辺２３１ａは異なる傾斜角度をなし、光源が屈折する時、屈折した光源が異なる程度の偏移を形成し、導光板２の両側縁が出光する光源は正向きの出光方向に導向され、導光板２の出光光源の均斉度が向上する。
【図面の簡単な説明】
【００１３】
【図１】公知の導光板の立体図である。
【図２】公知の導光板の光源進行図である。
【図３】公知の導光板の光場出光図である。
【図４】本発明の導光板の立体図である。
【図５】本発明の導光板の光源進行図である。
【図６】本発明の導光板の光場出光図である。
【符号の説明】
【００１４】
１導光板        
１１入光面          
１２反射面
１２１Ｖ字型導光体    
１３出光面
１３１Ｖ字型導光体    
２導光板        
２１入光面          
２２反射面
２２１Ｖ字型導光体
２３出光面
２３１  導光構造    
２３１ａ長い斜辺      
２３１ｂ短い斜辺          
Ａランプ源
Ｌ法線
θ１、θ２挟角
【図１】
0004731540.tif 000002
【図２】
0004731540.tif 000003
【図３】
0004731540.tif 000004
【図４】
0004731540.tif 000005
【図５】
0004731540.tif 000006
【図６】
0004731540.tif 000007